(57)【特許請求の範囲】
【請求項１】
骨塩密度が既知である領域を複数有するファントムのみが撮影されたＣＴデータを用いる骨塩密度の解析装置であって、
ファントムについて複数領域の骨塩密度の既知データを記憶する既知データ記憶部と、
前記ファントムのみが撮影された３次元ＣＴデータについて、ＣＴ値に対する領域数のヒストグラムを作成するヒストグラム作成部と、
前記作成されたヒストグラムの各ピークを表すＣＴ値と前記ファントムの各領域の既知データとを対応させて、ＣＴ値と骨塩密度との対応関係を決定する対応関係決定部と、
被検体の３次元ＣＴデータに対して、前記決定された対応関係を用いて骨塩密度を判定する解析部と、を備えることを特徴とする解析装置。
【請求項２】
前記対応関係決定部は、前記作成されたヒストグラムの所定のカウント数の範囲にピークが含まれているときに前記既知データと対応させるべきピークであると判別することを特徴とする請求項１記載の解析装置。
【請求項３】
前記既知データと対応させるべきピークを表す前記ファントムの３次元ＣＴデータの領域を画面上に表示する表示部を更に備えることを特徴とする請求項１または請求項２記載の解析装置。
【請求項４】
前記対応関係決定部は、前記決定された対応関係としてＣＴ値と骨塩密度の検量線を決定することを特徴とする請求項１から請求項３のいずれかに記載の解析装置。
【請求項５】
前記ヒストグラム作成部は、前記３次元ＣＴデータのうち、前記ファントムの密度が一様な方向に沿って限定された領域のデータを用いて、ＣＴ値に対する領域数のヒストグラムを作成することを特徴とする請求項１から請求項４のいずれかに記載の解析装置。
【請求項６】
骨塩密度が既知である領域を複数有するファントムのみが撮影されたＣＴデータを用いる骨塩密度の解析方法であって、
ファントムのみが撮影された３次元ＣＴデータについて、ＣＴ値に対する領域数のヒストグラムを作成するステップと、
前記作成されたヒストグラムの各ピークを表すＣＴ値と前記ファントムについて記憶された複数領域の骨塩密度の既知データとを対応させて、ＣＴ値と骨塩密度との対応関係を決定するステップと、
被検体の３次元ＣＴデータに対して、前記決定された対応関係を用いて骨塩密度を判定するステップと、を含むことを特徴とする解析方法。
【請求項７】
骨塩密度が既知である領域を複数有するファントムのみが撮影されたＣＴデータを用いてコンピュータに実行させる骨塩密度の解析プログラムであって、
ファントムのみが撮影された３次元ＣＴデータについて、ＣＴ値に対する領域数のヒストグラムを作成する処理と、
前記作成されたヒストグラムの各ピークを表すＣＴ値と前記ファントムについて記憶された複数領域の骨塩密度の既知データとを対応させて、ＣＴ値と骨塩密度との対応関係を決定する処理と、
被検体の３次元ＣＴデータに対して、前記決定された対応関係を用いて骨塩密度を判定する処理と、を含むことを特徴とする解析プログラム。
【発明の詳細な説明】
【技術分野】
【０００１】
本発明は、骨塩密度が既知であるファントムのＣＴデータを用いる骨塩密度の解析装置、解析方法および解析プログラムに関する。
【背景技術】
【０００２】
一般的にＸ線ＣＴデータに対して望まれるアプリケーションの１つとして、骨解析がある。骨解析では、被検体を撮影して得られたＸ線ＣＴデータから被検体の骨の骨塩密度を測定することができる。そして、骨解析を行なうためには、３次元ＣＴデータのピクセル情報であるＣＴ値を骨塩密度へ変換するための検量線を予め準備しておく必要がある。
【０００３】
従来、いくつかの異なる密度を有するハイドロキシアパタイトのファントムをＣＴ撮影した画像を用いて検量線を求める方法が知られている。このような方法では、撮影で得られた画像に対して、ユーザがそれぞれハイドロキシアパタイトの領域を含むように関心領域を設定し、関心領域内のＣＴ値とファントムの骨塩密度の関係から、ＣＴ値と骨塩密度とを対応づける検量線を算出できる。
【０００４】
例えば、特許文献１記載の装置は、所定数のファントムについて収集された校正用投影データに基いて、校正用ＣＴ画像の中心部のＣＴ値と中心部のハイドロキシアパタイト濃度との間の検量線を作成している。
【０００５】
また、特許文献２記載の装置は、撮影されたファントムの画像情報における基準物質の物性値に基き、複数の基準物質による所定の関係をもつ配列ラインを認識し、この配列認識手段にて認識された配列ライン上における基準物質の位置を既知の物性値に基いて認識し、この基準物質位置確認手段にて認識された位置上に所定形状の関心領域を設定している。
【先行技術文献】
【特許文献】
【０００６】
【特許文献１】特開平１１−１５５８５２号公報
【特許文献２】特許第２７７８７０７号公報
【発明の概要】
【発明が解決しようとする課題】
【０００７】
上記のような検量線作成の過程では、関心領域がユーザの入力操作により設定される。したがって、操作の失敗で妥当な関心領域が設定されなかったり、勘違いにより本来設定されるべき領域と違う関心領域が設定されたりすることも生じやすく、客観的に安定した解析ができない。また、関心領域の設定操作自体が容易ではなく、設定の際にユーザに過度の作業負担がかかる。
【０００８】
本発明は、このような事情に鑑みてなされたものであり、ユーザが容易に客観的で安定した骨塩密度の解析結果を得られる骨塩密度の解析装置、解析方法および解析プログラムを提供することを目的とする。
【課題を解決するための手段】
【０００９】
（１）上記の目的を達成するため、本発明の解析装置は、骨塩密度が既知であるファントムのＣＴデータを用いる骨塩密度の解析装置であって、ファントムについて骨塩密度の既知データを記憶する既知データ記憶部と、前記ファントムの３次元ＣＴデータについて、ＣＴ値に対する領域数のヒストグラムを作成するヒストグラム作成部と、前記作成されたヒストグラムの各ピークを表すＣＴ値と前記ファントムの既知データとを対応させて、ＣＴ値と骨塩密度との対応関係を決定する対応関係決定部と、被検体の３次元ＣＴデータに対して、前記決定された対応関係を用いて骨塩密度を判定する解析部と、を備えることを特徴としている。
【００１０】
このように、ファントムの骨塩密度の既知データとＣＴデータを用いて、自動的にＣＴ値と骨塩密度の対応関係が決まるため、ユーザは容易に客観的で安定した骨塩密度の解析結果を得ることができる。
【００１１】
（２）また、本発明の解析装置は、前記対応関係決定部は、前記作成されたヒストグラムの所定のカウント数の範囲にピークが含まれているときに前記既知データと対応させるべきピークであると判別することを特徴としている。これにより、既知の骨塩密度との対応をとる際にファントムの設計上意味のあるピークを判別でき、自動的にＣＴ値と骨塩密度の対応関係を決めることができる。
【００１２】
（３）また、本発明の解析装置は、前記既知データと対応させるべきピークを表す前記ファントムの３次元ＣＴデータの領域を画面上に表示する表示部を更に備えることを特徴としている。これにより、ユーザに対して参照されているＣＴデータ上の領域を表示することができ、ユーザは正しい処理が行なわれていることを確認することができる。
【００１３】
（４）また、本発明の解析装置は、前記対応関係決定部は、前記決定された対応関係としてＣＴ値と骨塩密度の検量線を決定することを特徴としている。これにより、ユーザが難しい操作をしなくても、ＣＴ値−骨塩密度の検量線の作成を自動で行なうことができる。
【００１４】
（５）また、本発明の解析装置は、前記ヒストグラム作成部が、前記３次元ＣＴデータのうち、前記ファントムの密度が一様な方向に沿って限定された領域のデータを用いて、ＣＴ値に対する領域数のヒストグラムを作成することを特徴としている。画像領域全てを使用して所望する分離性のヒストグラムが得られない場合には、上記のように使用する画像領域を制限することでヒストグラムのピークの分離性を向上できる。
【００１５】
（６）また、本発明の解析方法は、骨塩密度が既知であるファントムのＣＴデータを用いる骨塩密度の解析方法であって、ファントムの３次元ＣＴデータについて、ＣＴ値に対する領域数のヒストグラムを作成するステップと、前記作成されたヒストグラムの各ピークを表すＣＴ値と前記ファントムについて記憶された骨塩密度の既知データとを対応させて、ＣＴ値と骨塩密度との対応関係を決定するステップと、被検体の３次元ＣＴデータに対して、前記決定された対応関係を用いて骨塩密度を判定するステップと、を含むことを特徴としている。これにより、ユーザは容易に客観的で安定した骨塩密度の解析結果を得ることができる。
【００１６】
（７）また、本発明の解析プログラムは、骨塩密度が既知であるファントムのＣＴデータを用いてコンピュータに実行させる骨塩密度の解析プログラムであって、ファントムの３次元ＣＴデータについて、ＣＴ値に対する領域数のヒストグラムを作成する処理と、前記作成されたヒストグラムの各ピークを表すＣＴ値と前記ファントムについて記憶された骨塩密度の既知データとを対応させて、ＣＴ値と骨塩密度との対応関係を決定する処理と、被検体の３次元ＣＴデータに対して、前記決定された対応関係を用いて骨塩密度を判定する処理と、を含むことを特徴としている。これにより、ユーザは容易に客観的で安定した骨塩密度の解析結果を得ることができる。
【発明の効果】
【００１７】
本発明によれば、ユーザが容易に客観的で安定した骨塩密度の解析結果を得られる。
【図面の簡単な説明】
【００１８】
【図１】本発明の測定システムを示す概略図である。
【図２】本発明の解析装置の機能的構成を示すブロック図である。
【図３】本発明の解析装置の動作を示すフローチャートである。
【図４】（ａ）〜（ｃ）それぞれファントムの構成を示す斜視図、側断面図、平断面図である。
【図５】（ａ）、（ｂ）それぞれヒストグラムをとる画像領域およびそのヒストグラムの例を示す図である。
【図６】ヒストグラムおよびＣＴ値の幅を示す図である。
【図７】決定された検量線を示す図である。
【図８】被検体の骨塩密度解析結果を表示する画面を示す図である。
【図９】被検体の骨塩密度解析結果を示す表である。
【発明を実施するための形態】
【００１９】
次に、本発明の実施の形態について、図面を参照しながら説明する。説明の理解を容易にするため、各図面において同一の構成要素に対しては同一の参照番号を付し、重複する説明は省略する。
【００２０】
［測定システムの構成］
図１は、骨塩密度の測定システム１０を示す概略図である。測定システム１０は、Ｘ線ＣＴ装置５０および解析装置１００を備えている。Ｘ線ＣＴ装置５０は、Ｘ線の焦点サイズがミクロン単位のマイクロフォーカスＸ線源、２次元Ｘ線検出器を有し、面で受光したＸ線を電気信号に変換して画像化する。検出において、断層データのピクセルサイズは、例えば４．５μｍ〜１４４μｍで設定可能である。
【００２１】
Ｘ線源および検出器は、回転アームに設置され、所定の回転軸のまわりを３６０°回転する。Ｘ線ＣＴ装置５０は、ラット、マウス等の被検体を載せる支持台を有し、支持台はスライドさせることでガントリ孔からＸ線ＣＴ装置５０の内部に入れられる。Ｘ線ＣＴ装置５０によりファントムおよび被検体の３次元ＣＴデータが撮影され、解析装置１００に送出される。解析装置１００は受け取ったＣＴデータを用いて骨塩密度を測定する。
【００２２】
［解析装置の構成］
図２は、解析装置１００の機能的構成を示すブロック図である。解析装置１００は、例えばメモリ、ＣＰＵ等を有するＰＣで構成され、被検体の骨塩密度（ＢＭＤ値）を測定する。測定時には、骨塩密度（例えばハイドロキシアパタイト密度）が既知であるファントムのＣＴデータを用いて、ＣＴ値と骨塩密度との対応関係を決定し、ＣＴ値から骨塩密度を判定する。図２に示すように、解析装置１００は、ＣＴデータ記憶部１０１、ヒストグラム作成部１０２、既知データ記憶部１０５、対応関係決定部１０６、対応関係記憶部１０７、領域表示部１０８および解析部１０９を備えている。
【００２３】
ＣＴデータ記憶部１０１は、Ｘ線ＣＴ装置５０で撮影され、送出されたファントムや被検体の３次元ＣＴデータを記憶する。３次元ＣＴデータは、その他から得られたデータであってもよい。ヒストグラム作成部１０２は、ファントムの３次元ＣＴデータについて、ＣＴ値に対して領域数（ピクセル数）をカウント数とするヒストグラムを作成する。
【００２４】
既知データ記憶部１０５は、ファントムについて骨塩密度の既知データを記憶する。ファントムについての骨塩密度の既知データとは、例えば、ファントム内の特定の骨塩密度部分に対してその部分内の一様な骨塩密度を特定する既知のデータである。具体的なファントムの構成例については後述する。
【００２５】
対応関係決定部１０６は、作成されたヒストグラムの各ピークを表すＣＴ値とファントムの既知データとを対応づけて、ＣＴ値と骨塩密度との対応関係を決定する。具体的には、ＣＴ値と骨塩密度の検量線を決定する。これにより、ユーザが難しい操作をしなくても、ＣＴ値−骨塩密度の検量線の作成を自動で行なうことができる。
【００２６】
ピークの特定においては、所定のカウント数の範囲にピークが含まれているときに、そのピークを既知データと対応させるべきピークとして特定することが好ましい。これにより、既知の骨塩密度との対応をとる際にファントムの設計上意味のあるピークを判別でき、自動的にＣＴ値と骨塩密度を対応づけることができる。なお、カウント数の範囲は、ＣＴ値の範囲に置き換えられる場合には、所定のＣＴ値の範囲にピークが含まれるかでピークを検出してもよい。
【００２７】
対応関係記憶部１０７は、対応関係決定部１０６で決定されたＣＴ値と骨塩密度との対応関係を記憶する。領域表示部１０８は、ディスプレイ画面を制御し、既知データと対応させるべきピークを表すファントムの３次元ＣＴデータの領域をディスプレイ画面上に表示する。これにより、ユーザに対して参照されているＣＴデータ上の領域を表示することができ、ユーザは正しい処理が行なわれていることを確認することができる。
【００２８】
解析部１０９は、被検体の３次元ＣＴデータに対して、決定された対応関係を用いて骨塩密度を判定する。そして、判定結果がディスプレイ画面上に表示されるように制御する。このように、ファントムの骨塩密度の既知データとＣＴデータを用いて、自動的にＣＴ値と骨塩密度の対応関係が決まるため、ユーザは容易に客観的で安定した骨塩密度の解析結果を得ることができる。
【００２９】
［解析装置の動作］
図３は、解析装置１００の動作を示すフローチャートである。解析装置１００には、撮影されたファントムのＣＴデータが記憶され、ファントムについての骨塩密度の既知データが記憶されているものとする。
【００３０】
解析装置１００は、撮影されたファントムのＣＴデータを読み込む（ステップＳ１）。そして、読み込んだＣＴデータを用いて、ＣＴ値に対するピクセル数のヒストグラムを作成する（ステップＳ２）。この際に対象となるＣＴデータをファントム全体ではなくファントムの一部の領域（例えば中心領域）に限定してもよい。ファントムのＣＴデータでは、一様な骨塩密度の部分についてほぼ同一のＣＴ値が得られるため作成されたヒストグラムは、そのような特定の骨塩密度部分の数だけピークを形成する。
【００３１】
次に、ファントムについて、特定の骨塩密度部分の体積割合に応じた所定のカウント数の範囲を計算する（ステップＳ３）。そして、ファントムの体積割合に応じた所定のカウント数の範囲でピークを検出する（ステップＳ４）。具体的なピークの検出方法の詳細は後述する。
【００３２】
ピーク検出回数が特定の骨塩密度部分の全数であるか否かを判定する（ステップＳ５）。判定の結果、ピーク検出回数が特定の骨塩密度部分の全数に満たない場合には、ステップＳ４に戻り、さらにピークの検出を続ける。一方、ピーク検出回数が特定の骨塩密度部分の全数である場合には、ピークごとのピークを代表するＣＴ値として、特定の骨塩密度部分として抽出された範囲ごとの平均ＣＴ値を算出する（ステップＳ６）。
【００３３】
次に、得られた平均ＣＴ値と対応する既知の骨塩密度で検量線を作成する（ステップＳ７）。検量線の作成の詳細は後述する。撮影済みの被検体のＣＴデータに対して、作成された検量線を用いてＣＴ値に対する骨塩密度を特定し、被検体の骨塩密度を測定する（ステップＳ８）。なお、被検体のＣＴデータは、撮影後に送出され、受け取った解析装置１００内に記憶される。また、上記の解析装置１００の各処理はプログラムを実行することで行なわれる。
【００３４】
［実施例］
次に、具体的な実施例について説明する。実施例は一例であり、発明を限定するものではない。
【００３５】
（ファントムの構成）
図４（ａ）〜（ｃ）は、それぞれファントムＰＨ０の構成を示す斜視図、側断面図、平断面図である。図４（ａ）〜（ｃ）に示すファントムＰＨ０は、ファントムとしての一例であり、このようなファントムでなくても骨塩密度が一定の検出可能な部分を有するファントムであればよく、形状等も限定されない。なお、図中の断面４ｂ、４ｃは、図４（ｂ）、図４（ｃ）で表される断面に対応している。
【００３６】
ファントムＰＨ０は、円柱形を有しており、本体Ｂ０は、エポキシ樹脂のような樹脂材料で構成されている。また、ファントムＰＨ０は、本体Ｂ０の内部に、樹脂に一定密度のハイドロキシアパタイトが含有された円柱形の骨塩密度部分ＨＡ０〜４を複数備えている。骨塩密度部分ＨＡ０〜４は、例えば粉末のハイドロキシアパタイトが分散され、その密度を樹脂で調整されている。各部分でのハイドロキシアパタイトの密度は、それぞれ骨塩密度部分ＨＡ１で５０ｍｇ／ｍｍ３、骨塩密度部分ＨＡ２で２００ｍｇ／ｍｍ３、骨塩密度部分ＨＡ３で８００ｍｇ／ｍｍ３、骨塩密度部分ＨＡ４で１２００ｍｇ／ｍｍ３である。なお、骨塩密度部分ＨＡ０はハイドロキシアパタイトを含有せずダミーとして設けられている。
【００３７】
（ピークの特定）
Ｘ線ＣＴ装置５０を用い、ファントムＰＨ０の３次元ＣＴデータを取得すると、そのＣＴデータを用いてＣＴ値に対して領域数（ピクセル数）をカウント数とするヒストグラムを作成できる。ヒストグラムでは、ファントムＰＨ０内の各骨塩密度部分について体積割合に応じたピークの拡がりが生じる。このピークの拡がりがヒストグラムの範囲となる。
【００３８】
例えば、ファントムＰＨ０内にΦ５ｍｍ、長さ３８ｍｍの円柱状に特定の骨塩密度部分があり、ＣＴ画像の１ピクセルサイズが１２０μｍ３である場合には、円柱の体積が２．５×２．５×π×３８＝７４６．１ｍｍ３となる。この体積を１ピクセルサイズで除すれば７４６．１ｍｍ３／０．１２ｍｍ３＝６２１８(個)となり、ヒストグラムの範囲(個数)が得られる。
【００３９】
上記のヒストグラム範囲（個数）を使って、ヒストグラムの高い値からヒストグラムをカウントする。範囲は、ヒストグラムのカウント値が一定数以上（例えば５カウント以上）のポイントを開始ポイントとして決定する。そして、一定のピクセル数をカウントできたポイントを終了ポイントとする。
【００４０】
例えば、図５のピークＰ４について、このピークの範囲のヒストグラムの個数をカウントすると、６２００個に近い値となる。ピークＰ３はピークＰ４よりもピークトップが高くなる分、幅は狭くなる。しかし、ヒストグラムの個数は同６２００個に近い値となる。ピークＰ４、Ｐ３、Ｐ２は上記手法でほぼピークを含めた範囲が得られるので、その範囲の中から最大値を求めることで、ピークを検出できる。
【００４１】
ピークＰ１、Ｐ０は、互いに隣接しており、上記の手法では分別できない。したがって、論文「ピーク検出に基いた最適なヒストグラム分割法とその閾値選択への応用」（周長明、高木幹雄、テレビジョン学会誌Vol.45,No.10,pp．1179-1189、1991）の「３．２ ピークの検定基準」を参考にして、ピークの分離を行ない、それぞれのピークを検出する。この手法は予め設定しておいた骨塩量含有量差が小さい箇所（具体的には１００以下となる場合）に適用することで効果が得られる。
【００４２】
なお、ヒストグラムをとるＣＴデータをファントムＰＨ０全体ではなくファントムＰＨ０の一部の領域に限定してもよい。図５（ａ）、（ｂ）は、ヒストグラムをとる画像領域およびそのヒストグラムの例を示す図である。一般的に２次元検出器とコーンビーム照射Ｘ線管球を用いたＸ線ＣＴ装置では、画像のスライス方向での、中心領域から離れた位置にある画像値の信頼性が劣ることが分かっている（フェルドカンプ再構成アリゴリズムの欠点）。そのため、図５（ａ）に示すような全ての画像領域Ｑ１を使用したヒストグラムＨ１よりも、図５（ｂ）に示すような中心断面から密度が一様な方向に沿って限定された画像領域Ｑ２（例えば撮影範囲の中心からスライス方向に撮影範囲の２０％程度の一定の厚みを有する領域）を使用したヒストグラムＨ２の方が、ピークが明確に分離する可能性が高い。よって、画像領域全てを使用して所望するピークの分離性が得られない場合は、使用する画像領域を制限することでピークの分離性を向上できる。
【００４３】
図６は、ヒストグラムおよび所定のカウント数の範囲Ｒ０〜４を示す図である。ピーク検出の際には、例えばＣＴ値の高い方からカウント数の範囲Ｒ０〜４に入るピークＰ０〜４を検出できる。図６の例では、カウント数の範囲Ｒ４で特定されるピークＰ４に対してはファントムＰＨ０の部分ＨＡ４、カウント数の範囲Ｒ３で特定されるピークＰ３に対しては部分ＨＡ３、カウント数の範囲Ｒ２で特定されるピークＰ２に対しては部分ＨＡ２、カウント数の範囲Ｒ１で特定されるピークＰ１に対しては部分ＨＡ１、カウント数の範囲Ｒ０に対しては部分ＨＡ０が対応している。
【００４４】
（検量線の決定）
そして、各範囲Ｒ０〜４で特定されたピークＰ０〜４に対しては、それぞれピークを代表するＣＴ値を特定できる。代表値は、例えば、ピークが最大値をとるときのＣＴ値であってもよいし、ピークにおけるＣＴ値の平均値であってもよい。また、フィッティングした関数が最大値をとるときのＣＴ値であってもよい。
【００４５】
図７は、決定された検量線を示す図である。検量線は、検出された各ピークＰ０〜Ｐ４を代表するＣＴ値に対し、各ピークＰ０〜Ｐ４に対応する既知の骨塩密度をプロットし、最小二乗法等により直線を引くことで計算できる。そして、一旦計算された検量線は、ＣＴ値と骨塩密度との対応関係として記憶され、これを用いることで容易に被検体のＣＴデータを骨塩密度に換算できる。
【００４６】
（解析結果の出力）
検量線として決定されたＣＴ値と骨塩密度との対応関係を用いれば、被検体のＣＴデータで骨塩密度データを算出できる。そして、このようにして得られた解析結果は、ディスプレイ画面上に表示することができる。図８は、被検体の骨塩密度解析結果を表示する画面を示す図である。図８における断面画像の各表示は、アキシャル面（ａｘｉａｌ ｐｌａｎｅ）ＡＸ１、サジタル面（ｓａｇｉｔｔａｌ ｐｌａｎｅ）ＳＡ１、コロナル面（ｃｏｒｏｎａｌ ｐｌａｎｅ）ＣＯ１における表示となっている。
【００４７】
アキシャル面とは、被検体の体軸方向に垂直な面である。サジタル面とは、被検体の体幅方向に垂直な面である。コロナル面とは、被検体の体厚方向に垂直な面である。色の濃さにより皮質骨Ｔ１に当たる部分と海綿骨Ｔ２に当たる部分とが表示されている。特にサジタル面ＳＡ１、コロナル面ＣＯ１では、骨の長手方向の所定の範囲Ｚ１〜Ｚ２における皮質骨Ｔ１に当たる部分と海綿骨Ｔ２に当たる部分とを表示している。
【００４８】
図８に示す画面表示例では、骨塩密度解析結果を示す表ＴＡ１として各特性値も表示されている。骨の長手方向の所定の範囲Ｚ１〜Ｚ２について、骨全体、皮質骨、海綿骨の特性値を算出することができる。
【００４９】
図９は、被検体の骨塩密度解析結果を示す表ＴＡ１である。図９に示す例では、骨全体の骨塩密度は、２８７ｍｇ／ｍｍ３であり、皮質骨の骨塩密度は、６３８ｍｇ／ｍｍ３であり、海綿骨の骨塩密度は、５５ｍｇ／ｍｍ３である。
【符号の説明】
【００５０】
１０  測定システム
５０  Ｘ線ＣＴ装置
１００  解析装置
１０１  ＣＴデータ記憶部
１０２  ヒストグラム作成部
１０５  既知データ記憶部
１０６  対応関係決定部
１０７  対応関係記憶部
１０８  領域表示部
１０９  解析部
ＨＡ０〜ＨＡ４  特定の骨塩密度部分
Ｐ０〜Ｐ４  ピーク
ＰＨ０  ファントム
Ｑ１、Ｑ２  画像領域
Ｒ０〜Ｒ４  カウント数の範囲
ＳＡ１  サジタル面
ＣＯ１  コロナル面
ＡＸ１  アキシャル面
Ｔ１  皮質骨
Ｔ２  海綿骨
Ｚ１〜Ｚ２  範囲
【図１】
0006454626.tif 000002
【図２】
0006454626.tif 000003
【図３】
0006454626.tif 000004
【図４】
0006454626.tif 000005
【図５】
0006454626.tif 000006
【図６】
0006454626.tif 000007
【図７】
0006454626.tif 000008
【図８】
0006454626.tif 000009
【図９】
0006454626.tif 000010